【事件の表示】
　商願２００２−６５４３８拒絶査定不服審判事件について、次のとおり審決する。
【結　論】
　原査定を取り消す。
　本願商標は、登録すべきものとする。
【理　由】
１　本願商標
　本願商標は、別掲のとおりの構成よりなり、第１１類、第２１類、第３５類、第３６類、第３７類、第３９類、第４１類、第４２類及び第４５類に属する願書記載のとおりの商品及び役務を指定商品及び指定役務として、平成１４年８月２日に登録出願されたものである。
　そして、願書記載の指定商品及び指定役務については、平成１５年６月１０日付け、同年８月２６日付け、当審における同年１２月１８日付け、平成１６年４月１５日付け及び同年４月２１日付け手続補正書により、第１１類「火鉢類，浴槽類，業務用衣類乾燥機，業務用ごみ焼却炉，あんどん，ちょうちん，化学物質を充てんした保温保冷具」、第２１類「家事用手袋，ガラス製包装用容器（「ガラス製栓・ガラス製ふた」を除く。），陶磁製包装用容器，ガラス製栓，ガラス製ふた，花瓶及び水盤（貴金属製のものを除く。），風鈴，ガラス製又は磁器製の立て看板，香炉，化粧用具（「電気式歯ブラシ」を除く。），靴ブラシ，靴べら，靴磨き布，軽便靴クリーナー，シューツリー」、第３５類「ガスの自動販売機の貸与，商品の販売促進の企画及びその実行の代理，インターネットによる市場調査及び商品の販売に関する情報の提供，建物管理のための機械器具・電子計算機用プログラムの販売に関する情報の提供，住宅設備・内装設備・外装設備及び屋外の装飾等の商品の販売に関する情報の提供，商品の販売店に関する情報の提供，消費者の購買意識に関する調査・分析に関する情報の提供，調理器具の販売に関する情報の提供，インターネットによる商品の販売に関する事務の代理又は代行，通信販売事務の代行・取り次ぎ，広告，経営の診断又は経営に関する助言，市場調査，商品の販売に関する情報の提供，ホテルの事業の管理，電子計算機・タイプライター・テレックス又はこれらに準ずる事務用機器の操作，文書又は磁気テープのファイリング，建築物における来訪者の受付及び案内，広告用具の貸与，タイプライター・複写機及びワードプロセッサの貸与，自動販売機の貸与，求人情報の提供」、第３６類「割賦販売利用者に代わってする支払代金の精算に関する情報の提供，個人の経済的生活設計に係わる資産管理及び運用に関する情報の提供，ガス・水道・電気・電話料金又は放送受信料徴収の代行及びこれに関する助言・情報の提供，ガス・電気料金の支払の取次ぎ又はこれらに関する情報の提供，ガス・電気料金徴収の代行又はこれらに関する情報の提供，建物又は土地の情報の提供，前払式証票の発行，企業の信用に関する調査，慈善のための募金」、第３７類「ルームエアコンの貸与，ガス機器設置工事及び取外し工事，加熱器・調理台・流し台・吊戸棚及びシステムキッチンの設置工事又は保守又は修理又は清掃，建設工事に関する情報の提供，建物のガス・電気・水道・その他のメンテナンスに関するコンサルティング，ガス漏れ警報器の修理又は保守，ガス調理機械器具の修理または保守，ガス湯沸かし器・加熱器及びなべ類の修理又は保守に関する情報の提供，ガス湯沸かし器の修理又は保守又はこれらに関する情報の提供，ガス湯沸かし器の修理・保守又はこれらの取次ぎ，調理台の清掃，建設工事，建築工事に関する助言，ガス機器設置工事及び取外工事，建築設備の運転・点検・整備，船舶の建造，船舶の修理又は整備，航空機の修理又は整備，自転車の修理，自動車の修理又は整備，鉄道車両の修理又は整備，二輪自動車の修理又は整備，育雛器の修理又は保守，ふ卵器の修理又は保守，医療用機械器具の修理又は保守，印刷用又は製本用の機械器具の修理又は保守，映画機械器具の修理又は保守，光学機械器具の修理又は保守，写真機械器具の修理又は保守，荷役機械器具の修理又は保守，化学機械器具の修理又は保守，火災報知機の修理又は保守，不完全燃焼報知機の修理又は保守，ガソリンステーション用装置の修理又は保守，圧縮天然ガス自動車用ステーションの修理又は保守，ガラス器製造機械の修理又は保守，機械式駐車装置の修理又は保守，自転車駐輪器具の修理又は保守，牛乳ろ過器の修理又は保守，搾乳機の修理又は保守，業務用食器洗浄機の修理又は保守，業務用加熱調理機械器具の修理又は保守，業務用電気洗濯機の修理又は保守，漁業用機械器具の修理又は保守，金属加工機械器具の修理又は保守，靴製造機械の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，工業用炉の修理又は保守，鉱山機械器具の修理又は保守，ゴム製品製造機械器具の修理又は保守，蚕種製造用又は養蚕用の機械器具の修理又は保守，自動販売機の修理又は保守，鉄砲の修理又は保守，浄水装置の修理又は保守，照明用器具の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，測定機械器具の修理又は保守，たばこ製造機械の修理又は保守，暖冷房装置の修理又は保守，バーナーの修理又は保守，ボイラーの修理又は保守，ポンプの修理又は保守，冷凍機械器具の修理又は保守，暖冷房給湯装置の修理又は保守，吸収式冷凍機の修理又は保守，ルームエアコンの修理又は保守，ガス機器の修理又は保守，貯蔵槽類の修理又は保守，電気通信機械器具（電話機・ラジオ受信機及びテレビジョン受信機を除く。）の修理又は保守，自動検針システムの修理又は保守，マイコン制御器を組み込んだ安全装置付きガスメータの修理又は保守，遠隔監視システムによる自動通報用通信装置の修理又は保守，電動機の修理又は保守，電話機械器具の修理又は保守，ラジオ受信機又はテレビジョン受信機の修理，電子応用機械器具の修理又は保守，配電用又は制御用機械器具の修理又は保守，発電機の修理又は保守，塗装機械器具の修理又は保守，乗物用洗浄機の修理又は保守，土木機械器具の修理又は保守，廃棄物圧縮装置の修理又は保守，廃棄物破砕装置の修理又は保守，パルプ製造用・製紙用又は紙工用の機械器具の修理又は保守，集積回路製造装置の修理又は保守，半導体製造装置の修理又は保守，美容院用又は理髪店用の機械器具の修理又は保守，プラスチック加工機械器具の修理又は保守，包装用機械器具の修理又は保守，ミシンの修理又は保守，民生用電気機械器具の修理又は保守，遊園地用機械器具の修理又は保守，理化学機械器具の修理又は保守，運動用具の修理，おもちゃ又は人形の修理，家具の修理，傘の修理，ガス湯沸かし器の修理又は保守，加熱器の修理又は保守，なべ類の修理又は保守，ガスコンロ・ガステーブル・ガスオーブンの修理又は保守，風呂釜の修理又は保守，楽器の修理又は保守，かばん類又は袋物の修理，金庫の修理又は保守，靴の修理，錠前の取付け又は修理，洗浄機能付き便座の修理，釣り具の修理，時計の修理又は保守，はさみ研ぎ及びほうちょう研ぎ，ビリヤード用具の修理，遊戯用器具の修理，身飾品の修理，眼鏡の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，動力付床洗浄機の修理又は保守，水質汚濁防止装置の修理又は保守，原子力発電プラントの修理又は保守，化学プラントの修理又は保守，看板の修理又は保守，し尿処理槽の清掃，貯蔵槽類の清掃，道路の清掃，浴槽又は浴槽がまの清掃，電話機の消毒，医療用機械器具の殺菌・滅菌，有害動物の防除（農業・園芸又は林業に関するものを除く。），洗車機の貸与，電気洗濯機の貸与，衣類乾燥機の貸与，衣類脱水機の貸与，土木機械器具の貸与，床洗浄機の貸与，モップの貸与，電気冷蔵庫の修理又は保守，ガス冷蔵庫の修理又は保守，ガスストーブの修理又は保守，コージェネレーションシステムの修理又は保守，ユニットバスの修理又は保守，ガス式工業用炉の修理又は保守，家庭用ガス炊飯器の修理又は保守，業務用炊飯装置の修理又は保守，熱供給装置の修理又は保守，ガスエンジン（陸上の乗物用のもの及び「水車・風車」を除く。）の修理又は保守，ガスエンジン（陸上の乗物用）の修理又は保守，燃料電池発電装置の修理又は保守，家庭用ルームクーラーの貸与，鉱山機械器具の貸与，暖冷房装置の貸与」、第３９類「ガス・電気・水の供給に関する情報の提供，鉄道による輸送，車両による輸送，船舶による輸送，航空機による輸送，貨物のこん包，貨物の積卸し，貨物の輸送の媒介，船舶の貸与・売買又は運航の委託の媒介，船舶の引揚げ，水先案内，主催旅行の実施，旅行者の案内，旅行に関する契約（宿泊に関するものを除く。）の代理・媒介又は取次ぎ，寄託を受けた物品の倉庫における保管，他人の携帯品の一時預かり，ガスの供給，電気の供給，水の供給，熱の供給，地域暖冷房の供給，熱電併給システムによる熱の供給，係留施設の提供，倉庫の提供，駐車場の提供，飛行場の提供，車いすの貸与，自転車の貸与，航空機の貸与，荷役機械器具の貸与，自動車の貸与，船舶の貸与，包装用機械器具の貸与，道路情報の提供，自動車の運転の代行，引越の代行，有料道路の提供，駐車場の管理，機械式駐車装置の貸与，家庭用冷凍冷蔵庫の貸与，家庭用冷凍庫の貸与，冷凍機械器具の貸与，ガソリンステーション用装置（自動車の修理又は整備用のものを除く。）の貸与」、第４１類「建物のリフォームに関する知識の教授，建物管理のための機械器具・電子計算機用プログラムの操作の知識の教授に関する情報の提供，調理の教授，住宅及び住宅設備の使用体験を行える施設の提供に関する情報の提供，技芸・スポーツ又は知識の教授，植物の供覧，動物の供覧，電子出版物の提供，図書及び記録の供覧，美術品の展示，映画・演芸・演劇又は音楽の演奏の興行の企画又は運営，映画の上映・制作又は配給，演芸の上演，演劇の演出又は上演，音楽の演奏，放送番組の制作，サッカーの興行の企画・運営又は開催，音響用又は映像用のスタジオの提供，運動施設の提供，娯楽施設の提供，映画機械器具の貸与，映写フィルムの貸与，テレビジョン受信機の貸与，ラジオ受信機の貸与，図書の貸与，レコード又は録音済み磁気テープの貸与，録画済み磁気テープの貸与，おもちゃの貸与，遊園地用機械器具の貸与，遊戯用器具の貸与，セミナーの企画・運営又は開催，動物の調教，庭園の供覧，洞窟の供覧，書籍の制作，教育・文化・娯楽・スポーツ用ビデオの制作（映画・放送番組・広告用のものを除く。），放送番組の制作における演出，映像機器・音声機器等の機器であって放送番組の制作のために使用されるものの操作，ゴルフの興行の企画・運営又は開催，相撲の興行の企画・運営又は開催，野球の興行の企画・運営又は開催，興行の企画・運営又は開催（映画・演芸・演劇・音楽の演奏の興行及びスポーツ・競馬・競輪・競艇・小型自動車競走の興行に関するものを除く。），映画・演芸・演劇・音楽又は教育研修のための施設の提供，興行場の座席の手配，楽器の貸与，運動用具の貸与，ネガフィルムの貸与，ポジフィルムの貸与，書画の貸与，写真の撮影，通訳，翻訳，カメラの貸与，光学機械器具の貸与」、第４２類「環境関連技術・エネルギー関連技術・廃棄物・大気中への排出物質・環境問題・環境上のリスクと安全についての調査及び研究，建物における室内環境やエネルギー消費量の評価・解析，気象情報の提供，建築物の設計，測量，地質の調査，機械・装置若しくは器具（これらの部品を含む。）又はこれらの機械等により構成される設備の設計，デザインの考案，電子計算機のプログラムの設計・作成又は保守，電子計算機・自動車その他その用途に応じて的確な操作をするためには高度の専門的な知識・技術又は経験を必要とする機械の性能・操作方法等に関する紹介及び説明，建築又は都市計画に関する研究，公害の防止に関する試験又は研究，電気に 関する試験又は研究，土木に関する試験又は研究，農業・畜産又は水産に関する試験・検査又は研究，機械器具に関する試験又は研究，著作権の利用に関する契約の代理又は媒介，社会保険に関する手続の代理，計測器の貸与，電子計算機の貸与，電子計算機用プログラムの提供，理化学機械器具の貸与，製図用具の貸与，地震情報の提供，ガスメーターの貸与，暖冷房用の熱媒の熱使用量を計測する熱量計の貸与，水の温度及び通過量の測定装置の貸与，電子計算機（中央処理装置及び電子計算機用プログラムを記憶させた電子回路・磁気ディスク・磁気テープその他の周辺機器を含む。）の貸与，暖冷房用熱媒の熱使用量を計測する熱量計の貸与，省エネルギー手段の調査・研究に関する情報の提供，水汚染の調査・研究に関する情報の提供，節水手段の調査・研究に関する情報の提供，二酸化炭素排出削減手段の調査・研究に関する情報の提供，ごみ削減手段の調査・研究に関する情報の提供，廃棄物再生処理に関する調査・研究，天然ガス利用に関する調査・研究，原動機により発電機を駆動させて電力を作り出す際に原動機から排出される排熱を蒸気や温水として回収し有効利用するコージェネレーション機能を備えた発電装置に関する調査・研究，天然ガス自動車の開発に関する調査・研究，熱供給に関する調査・研究，冷熱利用に関する調査��研究，暖冷房装置の開発に関する調査・研究，自動検針システムに関する調査・研究，公害防止に関する調査・研究，省エネルギーに関する調査・研究，熱の有効利用に関する調査・研究，エネルギーに関する調査・研究，燃料電池発電装置に関する調査・研究，圧縮天然ガスステーションに関する調査・研究，地域暖冷房システムの開発に関する調査・研究，ガスエンジンの開発に関する調査・研究」及び第４５類「ガス漏れ警報機の貸与，火災報知機の貸与，消火器の貸与，不完全燃焼報知機の貸与，ファッション情報の提供，新聞記事情報の提供，個人の身元又は行動に関する調査，衣服の貸与，家庭用電熱用品類の貸与（他の類に属するものを除く。），動力機械器具の貸与，風水力機械器具の貸与，装身具の貸与，ガス不完全燃焼報知器の貸与，ガスの配管地図情報の提供，上水道の配管地図情報の提供，下水道の配管地図情報の提供，熱媒の配管地図情報の提供，液化天然ガスの輸送配管地図情報の提供，原油の輸送配管地図情報の提供」と補正されたものである。
　
２　原査定の拒絶の理由の要点
　原査定は、「本願商標は、登録第４４９６７８３号商標（以下「引用商標」という。）と同一又は類似の商標であって同一又は類似の役務について使用をするものであるから、商標法第４条第１項第１１号に該当する。」旨認定、判断して、本願を拒絶したものである。
　
３　当審の判断
　本願商標は、その指定商品及び指定役務について前記１のとおり補正された結果、引用商標の指定役務と同一又は類似の商品及び役務がすべて削除され、引用商標の指定役務とは類似しない商品及び役務になったものと認められる。
　したがって、本願商標が商標法第４条第１項第１１号に該当するとして本願を拒絶した原査定の拒絶の理由は解消した。
　その他、政令に定める期間内に本願について拒絶の理由を発見しない。
　よって、結論のとおり審決する。